(57)【要約】【課題】工場の出荷工程を簡略化し、表示装置を回転させて表示画面の縦と横とが変化した際、一般的なユーザ環境で表示ムラの補正が行える表示装置を提供する。【解決手段】映像信号を入力する映像入力部と、映像信号を補正する表示制御部と、補正した映像信号を表示する画面に平行に回転可能な表示部とを備え、画面中の複数の位置と、複数の位置での映像信号の階調の補正値との関係を示す階調補正マップを生成する階調補正マップ生成装置を備え、複数の位置と表示部が所定の角度の際の無補正時の輝度である無補正時輝度との関係を示す輝度ムラマップと、複数の位置又は他の複数の位置と、表示部の回転角度に応じた輝度の差分との関係を示す回転ムラマップと、第１の時点後の第２の時点の画面の特定の位置の輝度と、映像信号の階調との対応関係を示す第２のガンマ特性とに基づき、階調補正マップを生成し、階調補正マップを用いて映像信号を補正する。【選択図】図１
2016075870.tif 000002
【特許請求の範囲】
【請求項１】
映像信号を入力する映像入力部と、前記映像信号を補正する表示制御部と、補正した前記映像信号に応じた映像を表示する画面を有して前記画面に対して平行に回転可能である表示部と、を備えた表示装置であって、
前記画面の中の複数の位置と、前記複数の位置における前記映像信号の階調の補正値と、の対応関係を示す階調補正マップを生成する階調補正マップ生成装置をさらに備え、
前記階調補正マップ生成装置は、
前記複数の位置と、前記表示部が所定の角度で設置されている際の無補正時の輝度である無補正時輝度と、の対応関係を示す輝度ムラマップと、
前記複数の位置又は他の複数の位置と、前記表示部の回転角度に応じた輝度の差分と、の対応関係を示す回転ムラマップと、
第１の時点よりも後である第２の時点における前記画面の特定の位置の輝度と、前記映像信号の階調と、の対応関係を示す第２のガンマ特性と、
に基づいて、前記階調補正マップを生成し、
前記表示制御部は、
前記階調補正マップを用いて前記映像信号を補正する
表示装置。
【請求項２】
前記無補正時輝度は、前記第１の時点における輝度である、
請求項１に記載の表示装置。
【請求項３】
前記階調補正マップ生成装置は、前記輝度ムラマップを生成する輝度ムラマップ生成部を備え、
前記輝度ムラマップ生成部は、
前記複数の位置と、前記複数の位置における前記映像信号の階調の補正値と、の対応関係を示す階調補正基本マップと、
前記第１の時点における前記画面の特定の位置若しくはその近傍の輝度と、前記映像信号の階調と、の対応関係を示す第１のガンマ特性と、
に基づいて、前記輝度ムラマップを生成する、
請求項１または請求項２に記載の表示装置。
【請求項４】
前記輝度ムラマップを記憶する輝度ムラマップ記憶部をさらに備える、
請求項１または請求項２に記載の表示装置。
【請求項５】
前記階調補正基本マップを記憶する階調補正基本マップ記憶部をさらに備える、
請求項３に記載の表示装置。
【請求項６】
映像信号を入力する映像入力部と、前記映像信号を補正する表示制御部と、補正した前記映像信号に応じた映像を表示する画面を有して前記画面に対して平行に回転可能である表示部と、を備えた表示装置であって、
前記画面の中の複数の位置と、前記複数の位置における前記映像信号の階調の補正値と、の対応関係を示す階調補正マップを生成する階調補正マップ生成装置をさらに備え、
前記階調補正マップ生成装置は、
前記複数の位置と、前記表示部の回転角度に応じた輝度の補正値と、の対応関係を示す回転ムラ補正マップを生成する、回転ムラ補正マップ生成部と、
前記複数の位置と、輝度補正量と、の対応関係を示す輝度補正マップを生成する、輝度補正マップ生成部と、
前記階調補正マップを生成する、階調補正マップ生成部と、
を備え、
前記回転ムラ補正マップ生成部は、
前記複数の位置と、前記表示部が所定の角度で設置されている際の無補正時の輝度である無補正時輝度と、の対応関係を示す輝度ムラマップと、
前記複数の位置又は他の複数の位置と、前記表示部の回転角度に応じた輝度の差分と、の対応関係を示す回転ムラマップと、
に基づいて、前記回転ムラ補正マップを生成し、
前記輝度補正マップ生成部は、
前記回転ムラ補正マップと、
指定されるムラレベル値と、
に基づいて、前記輝度補正マップを生成し、
前記階調補正マップ生成部は、
前記輝度補正マップと、
第２の時点における前記画面の特定の位置の輝度と、前記映像信号の階調と、の対応関係を示す第２のガンマ特性と、
に基づいて、前記階調補正マップを生成し、
前記表示制御部は、
前記階調補正マップを用いて前記映像信号を補正する
表示装置。
【請求項７】
前記無補正時輝度は、前記第２の時点よりも前である第１の時点における輝度である、
請求項６に記載の表示装置。
【請求項８】
前記輝度補正量は、前記無補正時輝度と、前記複数の位置における目標輝度と、の差又は比である、
請求項６又は請求項７に記載の表示装置。
【請求項９】
表示部の画面の中の複数の位置と、前記表示部が所定の角度で設置されている際の無補正時の輝度である無補正時輝度と、の対応関係を示す輝度ムラマップと、
前記複数の位置又は他の複数の位置と、前記表示部の回転角度に応じた輝度の差分と、の対応関係を示す回転ムラマップと、
第１の時点よりも後である第２の時点における前記画面の特定の位置の輝度と、前記映像信号の階調と、の対応関係を示す第２のガンマ特性と、
に基づいて、前記階調補正マップを生成する
階調補正マップ生成装置。
【請求項１０】
表示部の画面の中の複数の位置と、前記表示部が所定の角度で設置されている際の無補正時の輝度である無補正時輝度と、の対応関係を示す輝度ムラマップと、
前記複数の位置又は他の複数の位置と、前記表示部の回転角度に応じた輝度の差分と、の対応関係を示す回転ムラマップと、
第１の時点よりも後である第２の時点における前記画面の特定の位置の輝度と、前記映像信号の階調と、の対応関係を示す第２のガンマ特性と、
に基づいて、前記階調補正マップを生成する
階調補正マップ生成方法。
【請求項１１】
コンピュータを、
表示部の画面の中の複数の位置と、前記表示部が所定の角度で設置されている際の無補正時の輝度である無補正時輝度と、の対応関係を示す輝度ムラマップと、
前記複数の位置又は他の複数の位置と、前記表示部の回転角度に応じた輝度の差分と、の対応関係を示す回転ムラマップと、
第１の時点よりも後である第２の時点における前記画面の特定の位置の輝度と、前記映像信号の階調と、の対応関係を示す第２のガンマ特性と、
に基づいて、前記階調補正マップを生成する階調補正マップ生成手段
として機能させるプログラム。
【発明の詳細な説明】
【技術分野】
【０００１】
本発明は、表示装置、階調補正マップ生成装置、階調補正マップ生成方法及びプログラムに関する。
【背景技術】
【０００２】
医用またはグラフィックデザイン業務などで使用されるディスプレイでは、画面全体に均一な色を再現する表示特性が求められている。
特許文献１には、関連する技術として、表示特性を均一化するために、表示ムラを映像的に補正する技術が記載されている。
【０００３】
また、人物画像は縦長サイズが多く、一部の医用またはグラフィックユーザは、表示装置を回転させて縦画面（Pivot（ピボット）機能）で利用することが多い。表示装置が薄型化及び軽量化され、設置の自由度が向上したため、表示装置を横長から縦長に回転させるニーズが増加している。
【先行技術文献】
【特許文献】
【０００４】
【特許文献１】特開２００７−２１９０６２号公報
【発明の概要】
【発明が解決しようとする課題】
【０００５】
しかしながら、上述した表示ムラは、表示装置の回転の処理に依存して表示ムラの状態が変化する。
表示装置を横長から縦長に回転させることで、表示装置の上部部分に常に熱気が滞るため、表示装置の回転により、表示装置における表示画面内の温度分布が変化し、画面内各点における輝度及び色度が変化する。
すなわち、バックライト光源の温度依存性によって、表示装置の上部側の部分が滞った熱気によって温度が上昇するに従い、バックライトの蛍光体の発光効率が低下することで、画面内各点における輝度が低下し、色度が青色に変化する。
【０００６】
また、表示装置を回転させることにより、表示画面において高温部となる部分が変化するため、画面方向毎の温度ムラの調整は困難である。
上記調整に際して、表示画面を測定する専用の光学測定器と、測定する際に表示装置を配置する暗室とが、表示装置を製造する工場設備として必要となる。さらに、表示装置を回転させた後、高温部における温度が変化しない安定状態となるまでのエージング時間（例えば、表示画面の一方向ごとに１時間必要）を要するため、一台あたりの調整に時間がかかる。
【０００７】
このため、多忙な工場においては作業員毎の調整におけるエージング時間のばらつきが発生し、表示装置毎に調整の度合いが異なる。また、ユーザ側においては、表示部の回転における表示ムラを調整する（後述するムラ補正）場合に、表示画面を測定する専用の光学測定器と、測定する際に表示装置を配置する暗室とがないため、十分な表示ムラの調整を行うことは困難である。
【０００８】
本発明は、上記課題を解決することのできる表示装置、回転ムラ補正マップ生成装置、回転ムラ補正マップ生成方法及びプログラムを提供する。
【課題を解決するための手段】
【０００９】
上述した課題を解決するために、本発明の表示装置は、映像信号を入力する映像入力部と、前記映像信号を補正する表示制御部と、補正した前記映像信号に応じた映像を表示する画面を有して前記画面に対して平行に回転可能である表示部と、を備えた表示装置であって、前記画面の中の複数の位置と、前記複数の位置における前記映像信号の階調の補正値と、の対応関係を示す階調補正マップを生成する階調補正マップ生成装置をさらに備え、前記階調補正マップ生成装置は、前記複数の位置と、前記表示部が所定の角度で設置されている際の無補正時の輝度である無補正時輝度と、の対応関係を示す輝度ムラマップと、前記複数の位置又は他の複数の位置と、前記表示部の回転角度に応じた輝度の差分と、の対応関係を示す回転ムラマップと、第１の時点よりも後である第２の時点における前記画面の特定の位置の輝度と、前記映像信号の階調と、の対応関係を示す第２のガンマ特性と、に基づいて、前記階調補正マップを生成し、前記表示制御部は、前記階調補正マップを用いて前記映像信号を補正する。
【００１０】
また、本発明の表示装置は、映像信号を入力する映像入力部と、前記映像信号を補正する表示制御部と、補正した前記映像信号に応じた映像を表示する画面を有して前記画面に対して平行に回転可能である表示部と、を備えた表示装置であって、前記画面の中の複数の位置と、前記複数の位置における前記映像信号の階調の補正値と、の対応関係を示す階調補正マップを生成する階調補正マップ生成装置をさらに備え、前記階調補正マップ生成装置は、前記複数の位置と、前記表示部の回転角度に応じた輝度の補正値と、の対応関係を示す回転ムラ補正マップを生成する、回転ムラ補正マップ生成部と、前記複数の位置と、輝度補正量と、の対応関係を示す輝度補正マップを生成する、輝度補正マップ生成部と、前記階調補正マップを生成する、階調補正マップ生成部と、を備え、前記回転ムラ補正マップ生成部は、前記複数の位置と、前記表示部が所定の角度で設置されている際の無補正時の輝度である無補正時輝度と、の対応関係を示す輝度ムラマップと、前記複数の位置又は他の複数の位置と、前記表示部の回転角度に応じた輝度の差分と、の対応関係を示す回転ムラマップと、に基づいて、前記回転ムラ補正マップを生成し、前記輝度補正マップ生成部は、前記回転ムラ補正マップと、指定されるムラレベル値と、に基づいて、前記輝度補正マップを生成し、前記階調補正マップ生成部は、前記輝度補正マップと、第２の時点における前記画面の特定の位置の輝度と、前記映像信号の階調と、の対応関係を示す第２のガンマ特性と、に基づいて、前記階調補正マップを生成し、前記表示制御部は、前記階調補正マップを用いて前記映像信号を補正する。
【００１１】
また、本発明の階調補正マップ生成装置は、表示部の画面の中の複数の位置と、前記表示部が所定の角度で設置されている際の無補正時の輝度である無補正時輝度と、の対応関係を示す輝度ムラマップと、前記複数の位置又は他の複数の位置と、前記表示部の回転角度に応じた輝度の差分と、の対応関係を示す回転ムラマップと、第１の時点よりも後である第２の時点における前記画面の特定の位置の輝度と、前記映像信号の階調と、の対応関係を示す第２のガンマ特性と、に基づいて、前記階調補正マップを生成する。
【００１２】
また、本発明の階調補正マップ生成方法は、表示部の画面の中の複数の位置と、前記表示部が所定の角度で設置されている際の無補正時の輝度である無補正時輝度と、の対応関係を示す輝度ムラマップと、前記複数の位置又は他の複数の位置と、前記表示部の回転角度に応じた輝度の差分と、の対応関係を示す回転ムラマップと、第１の時点よりも後である第２の時点における前記画面の特定の位置の輝度と、前記映像信号の階調と、の対応関係を示す第２のガンマ特性と、に基づいて、前記階調補正マップを生成する。
【００１３】
また、本発明のプログラムは、コンピュータを、 表示部の画面の中の複数の位置と、前記表示部が所定の角度で設置されている際の無補正時の輝度である無補正時輝度と、の対応関係を示す輝度ムラマップと、前記複数の位置又は他の複数の位置と、前記表示部の回転角度に応じた輝度の差分と、の対応関係を示す回転ムラマップと、第１の時点よりも後である第２の時点における前記画面の特定の位置の輝度と、前記映像信号の階調と、の対応関係を示す第２のガンマ特性と、に基づいて、前記階調補正マップを生成する階調補正マップ生成手段として機能させるプログラムである。
【発明の効果】
【００１４】
以上説明したように、本発明によれば、工場の出荷工程を簡略化するとともに、表示装置を回転させることにより、表示画面の縦と横とが変化した場合、一般的なユーザ環境で表示ムラの補正が行える表示装置、回転ムラ補正マップ生成装置、回転ムラ補正マップ生成方法及びプログラムを提供することが可能となる。
【図面の簡単な説明】
【００１５】
【図１】本発明の第１の実施形態による表示装置１の構成例を示すブロック図である。
【図２】本発明の第２の実施形態による表示装置１ａの構成例を示すブロック図である。
【図３】階調補正基本マップのデータの一例を示す図である。
【図４】基本ガンマ特性とユーザ測定ガンマ特性の一例を示す図である。
【図５】輝度ムラマップの一例を示す図である。
【図６】回転ムラマップの一例を示す図である。
【図７】階調補正マップのデータの一例を示す図である。
【図８】本発明の第２の実施形態による表示装置１ａの映像信号を表示する動作例を示すフローチャートである。
【図９】本発明の第３の実施形態による表示装置１ｂの構成例を示すブロック図である。
【図１０】本発明の第３の実施形態による表示装置１ｂの映像信号を表示する動作例を示すフローチャートである。
【発明を実施するための形態】
【００１６】
＜第１の実施形態＞
以下、本発明の第１の実施形態について、図面を参照して説明する。
図１は、本発明の第１の実施形態による表示装置１の構成例を示すブロック図である。図１において、表示装置１は、少なくとも、階調補正マップ生成装置１０と、映像入力部１０６と、表示制御部１０７と、表示部１０８と、ガンマ測定部１１１と、を備える。
【００１７】
第１の実施形態による表示装置１が備える階調補正マップ生成装置１０は、画面の中の複数の位置と、複数の位置における映像信号の階調の補正値と、の対応関係を示す階調補正マップを生成する。階調補正マップ生成装置１０は、表示部１０８の画面の中の複数の位置と、複数の位置における映像信号の階調の補正値との対応関係を示す階調補正マップを生成する階調補正マップ生成装置をさらに備えている。階調補正マップ生成装置１０は、複数の位置と、複数の位置における無補正時の輝度である無補正時輝度との対応関係を示す輝度ムラマップと、表示部１０８の回転角度に応じて発生する、複数の位置における表示ムラの差分であるムラ特性差を示す回転ムラマップと、表示部１０８に映像を表示する際に測定され、表示部１０８の画面の特定の位置の輝度と、映像信号の階調との対応関係を示すユーザ測定ガンマ特性（第２のガンマ特性）とに基づいて、階調補正マップを生成する。表示制御部１０７は、階調補正マップを用いて映像信号を補正する。なお、無補正時輝度は、第２の時点よりも前である第１の時点の輝度である。
【００１８】
上記回転ムラ補正量は、基準角度値にある各画素の表示ムラと、所定の回転角度値に表示画面を回転させた際の各位置の表示ムラとの差分であるムラ特性差を補正する補正量であり、輝度比または輝度差分値である。また、回転ムラ補正量は、一般に、回転角度毎、色（例えばＲ（赤）、Ｇ（グリーン）、Ｂ（ブルー）の各々）毎、階調（例えば２５５／１９２／１２８／６４/０）毎、位置毎に独立の値である。なお、表示部１０８の画面の中の各位置は、画面の全画素より少ない複数の画素の各々に対応する位置であり、例えば、表示部１０８の画面の画素を分割した横２０点×縦１１点の各点の位置である。
【００１９】
映像入力部１０６は、映像信号を入力する。
表示制御部１０７は、階調補正マップを用いて映像信号を補正する。
表示部１０８は、表示面に対して平行に回転可能（回転自在）であり、補正した映像信号に応じた映像を表示する画面を備える。すなわち、表示部１０８は、例えば、表示面が横長である横設置あるいは表示面が縦長である縦設置となる回転角度に回転させることができる。
【００２０】
回転ムラ補正マップは、輝度ムラマップと回転ムラマップとに基づいて生成される表示部１０８の画面の中の各位置において回転ムラ補正量で補正した輝度値と表示部１０８の画面の中の各位置との対応関係を示すデータの集合である。
ユーザ測定ガンマ特性は、第１の時点よりも後の第２の時点においてガンマ測定部１１１により取得された表示部１０８の画面の中の特定の位置における輝度と、映像信号の階調と、の対応関係を示す。なお、ガンマ特性とは、入力された映像信号の階調と表示部１０８の画面の輝度との対応関係を示すデータの集合である。
【００２１】
階調補正マップは、回転ムラ補正マップとユーザ測定ガンマ特性とに基づいて生成される、表示部１０８の画面の中の特定の位置における映像信号の特定の階調毎の補正値の集合である。ここで、特定の位置は、表示部１０８の画面の中の１つの位置であり、輝度ムラの補正の程度の観点から、後述する基本ガンマ特性（第１のガンマ特性）を測定した表示部１０８の画面の中の位置と同一であることが好ましい。階調補正マップを用いて階調を補正すると、表示部１０８の画面の中の各位置における輝度も補正され輝度ムラが再調整される。
【００２２】
このようにすることで、第１の実施形態による表示装置１において、階調補正マップ生成装置１０は、表示部１０８の画面の中の複数の位置と、その複数の位置における映像信号の階調の補正値と、の対応関係を示す階調補正マップを生成する。階調補正マップ生成装置１０は、複数の位置と、表示部１０８が所定の角度で設置されている際の無補正時の輝度である無補正時輝度と、の対応関係を示す輝度ムラマップと、複数の位置又は他の複数の位置と、前記表示部の回転角度に応じた輝度の差分と、の対応関係を示す回転ムラマップと、第１の時点よりも後である第２の時点における前記画面の特定の位置の輝度と、映像信号の階調と、の対応関係を示すユーザ測定ガンマ特性と、に基づいて、階調補正マップを生成する。表示制御部１０７は、階調補正マップを用いて映像信号を補正する。
【００２３】
表示部１０８は、補正した映像信号に応じた映像を表示する画面を備える。第１の時点において表示装置１の表示部１０８の回転角度の変更に対するムラ補正、または工場出荷後においてユーザが表示装置１の表示部１０８の回転角度の変更に対するムラ補正のための補正を行う必要がない。すなわち、本実施形態によれば、表示装置１の表示部１０８を所定の角度で回転させた場合、階調補正マップにより映像信号の表示部１０８の回転に基づく表示ムラが補正されるため、手間のかかる個体ムラ調整を従来と同様に代表的な画面方向のみで行われ、表示ムラを補正する際に従来必要であった、表示画面を測定する専用の光学測定器と、測定する際に表示装置を配置する暗室とを準備しなくとも良いため、表示装置１の光学調査項目を従来と同等とすることができ、第１の時点である工場の製造及び出荷検査における表示ムラの調整の工程を簡略化して製造コストを低減させるとともに、第１の時点より後の第２の時点の一例である出荷後において表示部１０８の表示部１０８の画面全体の表示ムラを一般的なユーザ環境において簡便に補正することができる効果がある。
【００２４】
＜第２の実施形態＞
以下、本発明の第２の実施形態について、図面を参照して説明する。
図２は、本発明の第２の実施形態による表示装置１ａの構成例を示すブロック図である。図２において、表示装置１ａは、少なくとも、階調補正マップ生成装置１０と、映像入力部１０６と、表示制御部１０７と、表示部１０８と、データ記憶部１０９と、階調補正マップ記憶部１１０と、ガンマ測定部１１１と、を備える。
【００２５】
階調補正マップ生成装置１０は、回転ムラ補正マップ生成部１０１と、階調補正マップ生成部１０２と、を備える。階調補正マップ生成装置１０は、例えば、マイコンおよびファームウェアを組み合わせたもの、ＦＰＧＡ（Ｆｉｅｌｄ−Ｐｒｏｇｒａｍｍａｂｌｅ  Ｇａｔｅ  Ａｒｒａｙ）等である。
ガンマ測定部１１１は、 所定の階調の映像信号に応じた映像が前記画面に表示された際の輝度を測定する。
【００２６】
データ記憶部１０９は、輝度ムラマップ記憶部１０９ａと、回転ムラマップ記憶部１０９ｂと、ユーザ測定ガンマ特性記憶部１０９ｃと、を備える。ここで、データ記憶部１０９は、例えば、データ記憶部１０９は、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの不揮発性記憶装置である。輝度ムラマップ記憶部１０９ａには、後述する表示部１０８における各位置の輝度ムラマップが予め書き込まれて記憶されている。回転ムラマップ記憶部１０９ｂには、後述する表示部１０８における各位置の回転ムラマップが予め書き込まれて記憶されている。ユーザ測定ガンマ特性記憶部１０９ｃには、後述する表示部１０８におけるユーザ測定ガンマ特性が予め書き込まれて記憶させている。
【００２７】
回転ムラ補正マップ生成部１０１は、輝度ムラマップに対して回転ムラマップを乗算して、回転ムラ補正マップを生成する。
ここで、輝度ムラマップは、輝度ムラマップ記憶部１０９ａに記憶されており、階調補正基本マップと基本ガンマ特性とに基づいて生成されている。階調補正基本マップは、表示部１０８の画面の中の複数の位置と、その複数の位置における映像信号の階調の補正値と、の対応関係を示す。また、基本ガンマ特性は、工場における製造時あるいは出荷検査の時点において測定されたガンマ特性であり、表示部１０８の画面の特定の位置若しくはその近傍の輝度と、複数の位置における映像信号の階調と、の対応関係を示す。
【００２８】
また、回転ムラマップとは、表示装置１の画面の基準角度値の状態（例えば、横設置時）と、所定の回転角度における回転状態（例えば、９０°回転させた縦設置時）との表示ムラのムラ特性差と、表示部１０８の各位置との対応関係を示す。横設置時とは、例えば、１０２４×７６８の画素数である場合、表示部１０８の表示画面において縦方向が７６８画素であり横方向が１０２４画素となる表示装置の角度である。一方、縦設置時とは、横設置時に対して９０°（または−９０°）回転させた状態であり、表示部１０８の表示画面において縦方向が１０２４画素であり横方向が７６８画素となる表示装置の角度である。
【００２９】
この表示ムラの特性は、表示部１０８の画面内の温度分布変化に起因し、表示装置１の筐体構造でほぼ決定される。このため、個々の液晶パネル間において共通性が高いため、液晶パネル間の細密な変化もない。したがって、回転ムラマップは、データ量の小さい、各液晶パネルの共通値として製品開発時に決定され、予め回転ムラマップ記憶部１０９ｂに書き込んで記憶させておくことができる。
また、回転ムラ補正マップ生成部１０１は、表示部１０８の画面の中の位置に対応する回転ムラマップのデータが存在しない場合、回転ムラマップのデータを線形補間などで補間したデータを、輝度ムラマップに対して反映させる。
【００３０】
階調補正マップ生成部１０２は、回転ムラ補正マップ生成部１０１が生成した回転ムラ補正マップと、ユーザ測定ガンマ特性記憶部１０９ｃが記憶するユーザ測定ガンマ特性と、に基づいて、階調補正マップを生成する。
階調補正マップ生成部１０２は、例えば、回転ムラ補正マップを構成する回転ムラ補正量を用いて補正後に表示されるべき輝度を、ユーザ測定ガンマ特性を参照して階調に変換する。さらに、階調補正マップ生成部１０２は、変換した階調から階調の補正値を求めることにより、階調補正マップを算出する。階調補正マップ生成部１０２は、生成した階調補正マップを階調補正マップ記憶部１１０に書き込んで記憶させる。
【００３１】
階調補正マップ記憶部１１０は、表示制御部１０７の処理に必要な種々のデータを記憶する。例えば、階調補正マップ記憶部１１０は、ＲＡＭ（Ｒａｎｄｏｍ  Ａｃｃｅｓｓ  Ｍｅｍｏｒｙ）などの揮発性記憶装置で構成され、階調補正マップを記憶する。
【００３２】
映像入力部１０６は、映像信号を入力する。映像入力部１０６は、入力した映像信号を表示制御部１０７に出力する。
表示制御部１０７は、階調補正マップ記憶部１１０が記憶する階調補正マップに基づいて映像入力部１０６から入力した映像信号の階調を補正する。表示制御部１０７は、補正した映像信号を用いて表示部１０８に映像を表示させる。
表示部１０８は、所定の階調の映像信号に応じた映像が前記画面に表示された際の輝度を測定するガンマ測定部１１１を備える。
【００３３】
図３は、階調補正基本マップのデータの一例を示す図である。
階調補正基本マップは、図３で示すように、複数の階調毎、複数の位置毎の輝度ムラを補正するための階調の補正値の集合である。この階調補正基本マップは、製造時や工場の出荷時等における第１の時点に測定した輝度ムラをなくすための階調の補正値である。例えば、複数の階調は、図３で示すように、０階調から２５５階調の間を６４階調毎にとった２５５階調、１９２階調、１２８階調、６４階調、０階調である。また、複数の位置は、表示部１０８の画面の左上の角の座標を原点とし、ｘ軸方向に等間隔に２０のｘ座標をとり、ｙ軸方向に１１のｙ座標をとり、ｘ座標とｙ座標との組み合わせが示す画面上の位置である。
【００３４】
なお、階調の補正値は、各階調に対する絶対値で示した値であってもよいし、各階調からの減じる階調値で示した値であってもよい。例えば、図３で示す階調の補正値が絶対値で示した値であるものとする。この場合、２５５階調で、表示部１０８の画面の中の位置がx座標ｘ１、ｙ座標ｙ１で示される位置での階調の補正値は、２５５階調を２３０階調に変更する補正値である。階調の補正値が各階調から減じる階調値で示した値でこれと同等の補正を行う場合、２５５階調で、表示部１０８の画面の中の位置がｘ座標ｘ１、ｙ座標ｙ１で示される位置での階調の補正値は、−２５階調となる。
また、階調補正基本マップは、Ｒ（Ｒｅｄ）、Ｇ（Ｇｒｅｅｎ）、Ｂ（Ｂｌｕｅ）のそれぞれの単一色に対して作成されてもよい。このように作成された階調補正基本マップを用いると、表示部１０８の画面における輝度ムラと色ムラを補正することができる。また、階調補正基本マップは、モノクロの単一色に対して作成されてもよい。このように作成された階調補正基本マップを用いると、表示部１０８の画面における輝度ムラのみが補正できる。
【００３５】
図４は、基本ガンマ特性とユーザ測定ガンマ特性の一例を示す図である。
図４において、横軸は映像信号の階調である。また、縦軸は輝度である。
ガンマ特性は、入力された映像信号の階調と表示部１０８の画面の輝度との対応関係を示すデータである。
基本ガンマ特性は、第２の時点より前の第１の時点（階調補正基本マップを作成した工場における製造時や出荷検査の時点）の表示部１０８の画面の中の各位置におけるガンマ特性である。すなわち、基本ガンマ特性は、表示部１０８の画面の中の特定の位置に対して図４で示す基本ガンマ特性を記憶している。第２の時点は、階調補正基本マップを作成した第１の時点より後の時点を示しており、ユーザが入手した時点なども含む。また、ユーザ測定ガンマ特性は、出荷検査の時点よりも後、すなわち出荷後のユーザが使用する時点に取得した表示部１０８の画面の中の特定の位置における輝度を測定し取得されるガンマ特性である。すなわち、ユーザ測定ガンマ特性は、第１の時点より後の第２の時点においてユーザが測定した表示部１０８の画面の中の特定の位置に対して図４で示すガンマ特性を記憶している。ここで、ユーザ測定ガンマ特性は、ユーザが表示部１０８の画面の中の１つの位置に対して測定したガンマ特性であってよい。なお、ユーザがユーザ測定ガンマ特性を測定する表示部１０８の画面の中の位置は、輝度ムラの補正の程度の観点から、基本ガンマ特性を測定した表示部１０８の画面の中の位置と同一であることが好ましい。
【００３６】
図５は、輝度ムラマップの一例を示す図である。
図５において、ｘ軸は表示部１０８の画面の横方向の座標軸である。また、ｙ軸は表示部１０８の画面の縦方向の座標軸である。原点は表示部１０８の画面の左上の角であり、ｘ座標とｙ座標は表示部１０８の画面上の座標である。また、輝度はｘ座標とｙ座標とで示される画面上の位置における輝度を示す。
輝度ムラマップは、図３で示した階調補正基本マップと、図４で示した基本ガンマ特性とを作成した第２の時点より前の第１の時点における表示部１０８の画面の中の各位置の輝度を示すデータの集合である。一般的に、表示部１０８が液晶パネルの場合、図５で示すように、画面の中央部が明るくなる傾向にある。
輝度ムラマップは、階調補正基本マップと基本ガンマ特性とに基づいて算出されている。
なお、図５では、輝度ムラマップを視覚的に示したが、実際には輝度ムラマップは画像データではなくデータテーブルであり、図３で示した階調補正基本マップのようにｘ座標とｙ座標とに関連付けた輝度のデータとして輝度ムラマップ記憶部１０９ａに書き込まれて記憶されている。
【００３７】
図６は、回転ムラマップの一例を示す図である。
図６において、ｘ軸は表示部１０８の画面の横方向の座標軸である。また、ｙ軸は表示部１０８の画面の縦方向の座標軸である。原点は、表示装置１の表示部１０８が９０°回転される前における表示部１０８の画面の左上の角であり、ｘ座標とｙ座標は表示部１０８の画面上の座標である。また、回転ムラ補正量は、表示ムラのムラ特性差であり、ｘ座標とｙ座標とで示される画面上の位置における輝度値の輝度ムラの変化量を示している。すなわち、回転ムラ補正量は、表示部１０８の表示画面の各位置において、表示部１０８を回転させても基準角度値の状態と比較して温度変化がほぼなく、表示部１０８の状態における輝度値と同様の輝度値を有する領域における輝度値を基準値（１００％）とし、他の領域をこの基準値に対して変化した輝度値の比を％で示したものである。図６から判るように、表示部１０８を９０°回転させることにより、下部から上部に変化した表示部１０８の画面の位置は輝度値が上昇し（輝度値が基準値の１００％を超えている）、一方、上部から下部に変化した表示部１０８の画面の位置は輝度値が低下している（輝度値が基準値の１００％未満である）。
なお、図６では、回転ムラマップを視覚的に示したが、実際には回転ムラマップは画像データではなくデータテーブルであり、図３で示した階調補正基本マップのようにｘ座標とｙ座標とに関連付けた輝度のデータとして回転ムラマップ記憶部１０９ｂに書き込まれて記憶されている。
【００３８】
図７は、階調補正マップのデータの一例を示す図である。
階調補正マップは、図７で示すように、複数の階調毎、複数の位置毎の輝度ムラを補正するための階調の補正値の集合である。
階調補正マップは、第１の時点よりも後の第２の時点において、表示装置１ａの表示部１０８を回転させた前後における経時的な輝度ムラや表示装置１ａの周囲温度の変化に起因する輝度ムラをなくすための階調の補正値である。例えば、複数の階調は、図７で示すように、０階調から２５５階調の間を６４階調毎にとった２５５階調、１９２階調、１２８階調、６４階調、０階調である。また、複数の位置は、表示部１０８の画面の左上の角の座標を原点とし、ｘ軸方向に等間隔に２０のｘ座標をとり、ｙ軸方向に１１のｙ座標をとり、ｘ座標とｙ座標との組み合わせが示す画面上の位置である。
【００３９】
階調補正マップ生成部１０２は、ユーザ測定ガンマ特性と回転ムラ補正マップとに基づいて生成する。なお、ユーザ測定ガンマ特性は、製造時や工場調整時等の第１の時点よりも後の第２の時点において表示部１０８の画面の中の特定の位置に対してユーザが測定したガンマ特性である。このユーザ測定ガンマ特性は、例えば、ユーザ操作により表示部１０８が備えるガンマ測定部１１１を用いて、表示部１０８の画面の一部に表示される映像のテストパターンを読み取ることで得られる。ここで、映像のテストパターンを読み取るガンマ測定部１１１は、表示部１０８に内蔵されていてもよいし、表示部１０８のフレームの内部に備えられ使用時にフレームの外部に現れるものであってもよい。また、映像のテストパターンを読み取るガンマ測定部１１１は、表示部１０８の裏面から伸長するものであってもよいし、表示部１０８には備えられていない外部のガンマ測定部１１１であってもよい。
【００４０】
なお、階調の補正値は、各階調に対する絶対値で示した値であってもよいし、各階調からの減じる階調値で示した値であってもよい。
また、階調補正マップは、Ｒ（Ｒｅｄ）、Ｇ（Ｇｒｅｅｎ）、Ｂ（Ｂｌｕｅ）のそれぞれの単一色に対して作成されてもよい。このように作成された階調補正マップを用いると、表示部１０８の画面における表示ムラと輝度ムラと色ムラとを補正することができる。また、階調補正マップは、モノクロの単一色に対して作成されてもよい。このように作成された階調補正マップを用いると、表示部１０８の画面における表示ムラ及び輝度ムラが補正できる。
【００４１】
図８は、本発明の第２の実施形態による表示装置１ａの映像信号を表示する動作例を示すフローチャートである。
表示装置１ａとは別の外部装置（例えば、パーソナルコンピュータ）は、製造時や工場調整時等の時点において、表示部１０８の画面に生じる輝度ムラを高精度カメラなどで撮影する。そして、外部装置は、表示部１０８の画面の中の各位置とその各位置における輝度を取得する。外部装置は、取得した輝度に基づいて、高精度カメラなどで撮影した輝度ムラを再現する階調補正基本マップとその時点の基本ガンマ特性を特定する。
例えば、第１の時点である製造時や工場調整時に全白の単一色の映像信号を入力した場合の表示部１０８の画面の中の各位置とその各位置における輝度との対応関係を示す輝度ムラを再現する、階調補正基本マップと基本ガンマ特性とを特定する。
【００４２】
外部装置は、特定した階調補正基本マップと基本ガンマ特性とから輝度ムラマップを作成し、輝度ムラマップ記憶部１０９ａに書き込んで記憶させる。
また、外部装置は、基準角度値の状態における表示部１０８の各位置における輝度値を測定し、また所定の角度に回転させた後の表示部１０８の各位置における輝度値を測定し、位置毎の輝度変化量を求めて、回転ムラマップを作成し、回転ムラマップ記憶部１０９ｂに書き込んで記憶させる。
【００４３】
また、ユーザ測定ガンマ特性記憶部１０９ｃには、第１の時点より後の第２の時点においてユーザが測定（ガンマ測定部１１１が測定）したユーザ測定ガンマ特性が記憶されている。このユーザ測定ガンマ特性は、第１の時点より後の第２の時点にユーザが測定するガンマ特性である。例えば、表示部１０８は、ユーザ操作により表示部１０８が備えるガンマ測定部１１１を用いて、表示部１０８の画面の一部に表示される映像のテストパターンを読み取ることでユーザ測定ガンマ特性を取得する。ここで、映像のテストパターンを読み取るガンマ測定部１１１は、表示部１０８に内蔵されていてもよいし、表示部１０８のフレームの内部に備えられ使用時にフレームの外部に現れるものであってもよい。また、映像のテストパターンを読み取るガンマ測定部１１１は、表示部１０８の裏面から伸長するものであってもよいし、表示部１０８には備えられていない外部のガンマ測定部１１１であってもよい。また、表示部１０８が映像のテストパターンを表示する画面の中の位置は、適切にテストパターンを読み取れる範囲において任意の位置であってよい。なお、ユーザがユーザ測定ガンマ特性を測定する表示部１０８の画面の中の位置は、表示ムラの補正の程度の観点から、基本ガンマ特性を測定した表示部１０８の画面の中の位置と同一であることが好ましい。
【００４４】
回転ムラ補正マップ生成部１０１は、輝度ムラマップ記憶部１０９ａから輝度ムラマップを読み出す（ステップＳ１）。
回転ムラ補正マップ生成部１０１は、表示部１０８に設けられている図示しない角度検出手段から、表示部１０８が基準角度値の状態（例えば、横設置の状態）からの回転角度を示す画面方向検出値を読み込む（ステップＳ２）。
【００４５】
回転ムラ補正マップ生成部１０１は、上記角度検出手段から読み込んだ画面方向検出値に基づき、表示部１０８が基準角度値から回転させられているか否かの判定を行う（ステップＳ３）。このとき、回転ムラ補正マップ生成部１０１は、表示部１０８が基準角度値から回転させられている場合、処理をステップＳ４へ進め、一方、基準角度値の状態である場合、処理をステップＳ７へ進める。ここで、回転ムラ補正マップ生成部１０１は、表示部１０８が基準角度値の状態である場合、輝度ムラマップを回転ムラ補正マップとして処理をステップＳ７へ進める。
【００４６】
次に、回転ムラ補正マップ生成部１０１は、回転ムラマップ記憶部１０９ｂから回転ムラマップを読み出す（ステップＳ４）。ここで、回転ムラマップ記憶部１０９ｂに回転角度の種類毎に回転ムラマップが記憶されている場合、回転ムラ補正マップ生成部１０１は、画面方向検出値の示す回転角度に対応した回転ムラマップを回転ムラマップ記憶部１０９ｂから読み出す。
そして、回転ムラ補正マップ生成部１０１は、読み出した輝度ムラマップと回転ムラマップとに基づいて、輝度ムラマップの各位置の輝度値に対して、回転ムラマップの輝度値の変化量をそれぞれ反映させ、各位置の表示ムラが回転ムラ補正量により補正された輝度値を求める（ステップＳ５）。すなわち、回転ムラ補正マップ生成部１０１は、表示部１０８の対応する位置毎に、輝度ムラマップの輝度値と回転ムラマップの回転ムラ補正量とを乗算して、回転ムラ補正量により補正した輝度値を算出する。
回転ムラ補正マップ生成部１０１は、読み出した輝度ムラマップと回転ムラマップとに基づいて求めた、表示部１０８の画面の中の各位置の回転ムラ補正量により補正した輝度値から、回転ムラ補正マップを生成する（ステップＳ６）。
【００４７】
階調補正マップ生成部１０２は、回転ムラ補正マップ生成部１０１から回転ムラ補正マップを読み込み、またユーザ測定ガンマ特性記憶部１０９ｃから、ユーザ測定ガンマ測定のデータを読み出す。ここで、表示部１０８が映像のテストパターンを読み取るガンマ測定部１１１を備える場合、表示部１０８はガンマ測定部１１１の位置に応じた画面の位置に映像のテストパターンを表示してもよい。
階調補正マップ生成部１０２は、入力した回転ムラ補正マップにおける回転ムラ補正量により補正された輝度値を、ユーザ測定ガンマ特性記憶部１０９ｃから読み出したユーザ測定ガンマ特性を用いて階調に変換し、階調補正マップを生成する（ステップＳ７）。
階調補正マップ生成部１０２は、生成した階調補正マップを階調補正マップ記憶部１１０に書き込んで記憶させる（ステップＳ８）。
【００４８】
映像入力部１０６は、外部装置から映像信号を入力する（ステップＳ９）。映像入力部１０６は、入力した映像信号を表示制御部１０７に出力する。
表示制御部１０７は、映像入力部１０６から映像信号を入力すると、階調補正マップ記憶部１１０から階調補正マップを読み出す（ステップＳ１０）。
表示制御部１０７は、階調補正マップ記憶部１１０から読み出した階調補正マップを用い、入力した映像信号の階調を、階調補正マップの表示部１０８の各位置に対応させて、表示部１０８の表示画面における画素毎に補正する（ステップＳ１１）。
表示制御部１０７は、補正した映像信号を用いて表示部１０８に対し、表示画面に映像を表示させる（ステップＳ１２）。
【００４９】
以上、本発明の第２の実施形態による表示装置１ａの処理について説明した。
上述したように、第２の実施形態による表示装置１ａは、少なくとも、階調補正マップ生成装置１０と、映像入力部１０６と、表示制御部１０７と、表示部１０８と、データ記憶部１０９と、階調補正マップ記憶部１１０と、ガンマ測定部１１１と、を備える。また、階調補正マップ生成装置１０は、回転ムラ補正マップ生成部１０１と、階調補正マップ生成部１０２と、を備える。また、データ記憶部１０９は、輝度ムラマップ記憶部１０９ａ、回転ムラマップ記憶部１０９ｂ、ユーザ測定ガンマ特性記憶部１０９ｃと、を備える。
回転ムラ補正マップ生成部１０１は、輝度ムラマップ記憶部１０９ａに記憶されている輝度ムラマップと、回転ムラマップ記憶部１０９ｂに記憶されている回転ムラマップとに基づいて、回転ムラ補正マップを算出する。また、階調補正マップ生成部１０２は、回転ムラ補正マップ生成部１０１が求めた回転ムラ補正マップと、第１の時点より後の第２の時点において測定されたユーザ測定ガンマ特性とに基づいて、簡便に階調補正マップを生成し、階調補正マップ記憶部１１０に記録することができる。
また、表示制御部１０７が階調補正マップ記憶部１１０に記憶されている階調補正マップに基づいて、映像入力部１０６から入力した映像信号の階調を補正し表示部１０８に映像を表示される。
【００５０】
このようにすることで、第２の実施形態による表示装置１ａは、工場の製造時や出荷検査が行われる第１の時点において表示装置１ａの表示部１０８の回転角度の変更に対するムラ補正、または工場出荷後においてユーザが表示装置１ａの表示部１０８の回転角度の変更に対するムラ補正のための補正を行う必要がない。すなわち、本実施形態によれば、表示装置１ａの表示部１０８を所定の角度で回転させた場合、階調補正マップにより映像信号の表示部１０８の回転に基づく表示ムラが補正されるため、手間のかかる個体ムラ調整を従来と同様に代表的な画面方向のみで行われ、表示ムラを補正する際に従来必要であった、表示画面を測定する専用の光学測定器と、表示装置１の光学調査項目を従来と同等とすることができ、測定する際に表示装置を配置する暗室とを準備しなくとも良いため、表示装置１の光学調査項目を従来と同等とし、第１の時点である製造及び工場の出荷検査における表示ムラの調整の工程を簡略化して製造コストを低減させるとともに、第１の時点よりも後の第２の時点における表示部１０８の表示部１０８の画面全体の表示ムラを一般的なユーザ環境において簡便に補正することができる効果がある。
【００５１】
また、第２の実施形態による表示装置１ａは、表示部１０８の画面の中の特定の位置におけるユーザ測定ガンマ特性に基づいて階調を補正することにより、表示部１０８の画面全体の表示ムラを簡便に補正することができる。
また、輝度ムラマップ記憶部１０９ａが階調補正基本マップをＲ、Ｇ、Ｂ毎に記憶し、階調補正マップ生成装置１０がＲ、Ｇ、Ｂのそれぞれの階調補正基本マップに基づいて階調補正マップを生成する。
このようにすれば、第２の実施形態による表示装置１ａは、表示部１０８の画面全体に均一な表示ムラの無い色を再現する表示性能を実現することができる。
【００５２】
＜第３の実施形態＞
以下、本発明の第３の実施形態について、図面を参照して説明する。
図９は、本発明の第３の実施形態による表示装置１ｂの構成例を示すブロック図である。図９において、表示装置１ｂは、少なくとも、階調補正マップ生成装置１０ｂと、映像入力部１０６と、表示制御部１０７と、表示部１０８と、データ記憶部１０９ｆと、階調補正マップ記憶部１１０と、ガンマ測定部１１１と、を備える。図２における第２の実施形態と同様の構成には同一の符号を付し、以下、第２の実施形態と異なる構成及び動作について説明する。
【００５３】
階調補正マップ生成装置１０ｂは、回転ムラ補正マップ生成部１０１、階調補正マップ生成部１０２、輝度ムラマップ生成部１０３と、輝度補正マップ生成部１０４と、を備える。階調補正マップ生成装置１０ｂは、例えば、マイコンおよびファームウェアを組み合わせたもの、ＦＰＧＡ（Ｆｉｅｌｄ−Ｐｒｏｇｒａｍｍａｂｌｅ  Ｇａｔｅ  Ａｒｒａｙ）等である。
階調補正基本マップ記憶部１０９ｄには、階調補正基本マップが予め書き込まれて記憶されている。
基本ガンマ特性記憶部１０９ｅには、表示部１０８の基本ガンマ特性が予め書き込まれて記憶されている。
【００５４】
輝度ムラマップ生成部１０３は、階調補正基本マップ記憶部１０９ｄに記憶されている階調補正基本マップと、基本ガンマ特性記憶部１０９ｅに記憶されている基本ガンマ特性とに基づいて、輝度ムラマップを生成する。
なお、輝度ムラマップ生成部１０３は、表示部１０８の画面の中の位置に対応する階調補正基本マップのデータ及び基本ガンマ特性のデータが存在しない場合、階調補正基本マップのデータ及び基本ガンマ特性のデータを線形補間などで補間したデータを用いて階調を輝度に変換する。
【００５５】
また、輝度ムラマップ生成部１０３は、階調補正基本マップに含まれる階調の補正値を用いて補正した階調を、基本ガンマ特性を参照して輝度に変換することにより、輝度ムラマップを算出する。ここで、輝度ムラマップは、無補正時の表示部１０８の画面の中の各位置と、その各位置における無補正時の輝度である無補正時輝度と、の対応関係を示す。
回転ムラ補正マップ生成部１０１は、輝度ムラマップ生成部１０３の生成した輝度ムラマップを、回転ムラマップ記憶部１０９ｂに記憶されている回転ムラマップの回転ムラ補正量を反映した輝度値からなる回転ムラ補正マップを生成する。この回転ムラ補正マップの生成については第２の実施形態と同様である。
【００５６】
輝度補正マップ生成部１０４は、回転ムラ補正マップ生成部１０１が算出した回転ムラ補正マップに基づいて、ムラレベル値に応じた目標輝度ムラマップを算出する。ここで、ムラレベル値は、映像信号の階調の補正をどの程度行うかを表すパラメータである。また、ムラレベル値は、ユーザが任意に選択できる値である。ムラレベル値の範囲は、例えば、０パーセント（無補正）から１００パーセント（完全補正）である。目標輝度ムラマップは、映像信号の階調の補正において目標とする表示部１０８の画面の中の各位置の輝度（目標輝度）を示す輝度ムラマップである。例えば、ムラレベル値が０パーセント（無補正）である場合の目標輝度ムラマップは、輝度ムラマップ生成部１０３が算出した輝度ムラマップと同一となる。また、ムラレベル値が１００パーセント（完全補正）である場合の目標輝度ムラマップに含まれる目標輝度は、輝度ムラマップ生成部１０３が算出した輝度ムラマップにおいて最も低い輝度と同一となる。さらに、ムラレベル値が０パーセントと１００パーセントの間の値である場合の目標輝度ムラマップに含まれる目標輝度は、ムラレベル値が０パーセントの場合の目標輝度とムラレベル値が１００パーセントの場合の目標輝度との間の値となるようにする。
【００５７】
また、輝度補正マップ生成部１０４は、回転ムラ補正マップ生成部１０１が算出した回転ムラ補正マップと算出した目標輝度ムラマップに基づいて、輝度補正量を算出する。輝度補正量は、輝度ムラマップに含まれる輝度と、目標輝度ムラマップに含まれる目標輝度と、の差又は比である。例えば、輝度ムラマップに含まれる輝度が２５０［カンデラ毎平方メートル］であり、目標輝度ムラマップに含まれる目標輝度が２００［カンデラ毎平方メートル］である場合、輝度補正量は、２５０−２００＝５０［カンデラ毎平方メートル］又は１００×（２００÷２５０）＝８０パーセントとなる。そして、輝度補正マップ生成部１０４は、算出した輝度補正量を用いて輝度補正マップを生成する。
【００５８】
階調補正マップ生成部１０２は、輝度補正マップ生成部１０４が生成した輝度補正マップと、ユーザ測定ガンマ特性記憶部１０９ｃが記憶するユーザ測定ガンマ特性と、に基づいて、階調補正マップを生成する。階調補正マップ生成部１０２は、例えば、輝度補正マップを構成する輝度補正量を用いて補正後に表示されるべき輝度を算出し、この輝度を、ユーザ測定ガンマ特性を参照して階調に変換する。さらに、階調補正マップ生成部１０２は、変換した階調から階調の補正値を求めることにより、階調補正マップを算出する。階調補正マップ生成部１０２は、生成した階調補正マップを階調補正マップ記憶部１１０に書き込んで記憶させる。
【００５９】
図１０は、本発明の第３の実施形態による表示装置１ｂの映像信号を表示する動作例を示すフローチャートである。
第２の実施形態と同様に表示装置１ｂとは別の外部装置は、工場の出荷検査の時点において、表示部１０８の画面に生じる輝度ムラを高精度カメラなどで撮影し、表示部１０８の画面の中の各位置とその各位置における輝度を取得する。外部装置は、取得した輝度に基づいて、高精度カメラなどで撮影した輝度ムラを再現する階調補正基本マップとその時点の基本ガンマ特性を特定する。
例えば、製造時や工場出荷の検査時に全白の単一色の映像信号を入力した場合の表示部１０８の画面の中の各位置とその各位置における輝度との対応関係を示す輝度ムラを再現する、階調補正基本マップと基本ガンマ特性とを特定する。
外部装置は、特定した階調補正基本マップと基本ガンマ特性との各々を、それぞれ階調補正基本マップ記憶部１０９ｄ、基本ガンマ特性記憶部１０９ｅに書き込んで記憶させる。
【００６０】
輝度ムラマップ生成部１０３は、階調補正基本マップ記憶部１０９ｄから階調補正基本マップを読み出し、また基本ガンマ特性記憶部１０９ｅから基本ガンマ特性を読み出す（ステップＳ２１）。
輝度ムラマップ生成部１０３は、読み出した階調補正基本マップと基本ガンマ特性とに基づいて、表示部１０８の画面の中の各位置における階調を輝度に変換する。
そして、輝度ムラマップ生成部１０３は、表示部１０８の画面の中の各位置における輝度に基づいて、輝度ムラマップを算出する（ステップＳ２２）。例えば、この輝度ムラマップは、図５で示した輝度ムラマップである。
輝度ムラマップ生成部１０３は、算出した輝度ムラマップを回転ムラ補正マップ生成部１０１に出力する。
【００６１】
回転ムラ補正マップ生成部１０１は、表示部１０８に設けられている図示しない角度検出手段から、表示部１０８が基準角度値の状態（例えば、横設置の状態）からの回転角度を示す画面方向検出値を読み込む（ステップＳ２３）。
【００６２】
回転ムラ補正マップ生成部１０１は、上記角度検出手段から読み込んだ画面方向検出値に基づき、表示部１０８が基準角度値から回転させられているか否かの判定を行う（ステップＳ２４）。このとき、回転ムラ補正マップ生成部１０１は、表示部１０８が基準角度値から回転させられている場合、処理をステップＳ２４へ進め、一方、基準角度値の状態である場合、処理をステップＳ２８へ進める。ここで、回転ムラ補正マップ生成部１０１は、表示部１０８が基準角度値の状態である場合、輝度ムラマップを回転ムラ補正マップとして処理をステップＳ２８へ進める。
【００６３】
次に、回転ムラ補正マップ生成部１０１は、回転ムラマップ記憶部１０９ｂから回転ムラマップを読み出す（ステップＳ２５）。ここで、回転ムラマップ記憶部１０９ｂに回転角度の種類毎に回転ムラマップが記憶されている場合、回転ムラ補正マップ生成部１０１は、画面方向検出値の示す回転角度に対応した回転ムラマップを回転ムラマップ記憶部１０９ｂから読み出す。
そして、回転ムラ補正マップ生成部１０１は、輝度ムラマップ生成部１０３から供給される輝度ムラマップと、回転ムラマップ記憶部１０９ｂから読み出した回転ムラマップとに基づいて、輝度ムラマップの各位置の輝度値に対して、回転ムラマップの輝度値の変化量をそれぞれ反映させ、各位置の表示ムラが回転ムラ補正量により補正された輝度値を求める（ステップＳ２６）。すなわち、回転ムラ補正マップ生成部１０１は、表示部１０８の対応する位置毎に、輝度ムラマップの輝度値と回転ムラマップの回転ムラ補正量とを乗算して、回転ムラ補正量により補正した輝度値を算出する。
回転ムラ補正マップ生成部１０１は、供給された輝度ムラマップと読み出した回転ムラマップとに基づいて求めた、表示部１０８の画面の中の各位置の回転ムラ補正量により補正した輝度値から、回転ムラ補正マップを生成する（ステップＳ２７）。回転ムラ補正マップ生成部１０１は、回転ムラ補正マップを輝度補正マップ生成部１０４に対して出力する。
【００６４】
輝度補正マップ生成部１０４は、回転ムラ補正マップ生成部１０１から回転ムラ補正マップを入力する。また、輝度補正マップ生成部１０４は、ユーザが所望するムラレベル値を入力する。入力した回転ムラ補正マップをムラレベル値に応じて０パーセント（無補正）から１００パーセント（完全補正）までの輝度ムラ補正を行う目標輝度ムラマップを算出する（ステップＳ２８）。
例えば、輝度補正マップ生成部１０４は、図５で示した表示部１０８の画面の中の各位置の輝度が、各位置の中で最も低い輝度と同一になるように１００パーセントの輝度ムラ補正を行う目標輝度ムラマップを算出する。
【００６５】
また、輝度補正マップ生成部１０４は、入力した回転ムラ補正マップに対する目標輝度ムラマップの割合を表示部１０８の画面の中の各位置における輝度補正量を算出する。
例えば、輝度補正マップ生成部１０４は、入力した回転ムラ補正マップが２５０［カンデラ毎平方メートル］で目標輝度ムラマップが２００［カンデラ毎平方メートル］である場合、１００×（２００÷２５０）＝８０パーセントと輝度補正量を算出する。
輝度補正マップ生成部１０４は、算出した表示部１０８の画面の中の各位置における輝度補正量に基づいて、輝度補正量の集合である輝度補正マップを算出する
輝度補正マップ生成部１０４は、算出した輝度補正マップを階調補正マップ生成部１０２に出力する。
【００６６】
階調補正マップ生成部１０２は、輝度補正マップ生成部１０４から輝度補正マップを入力する。また、階調補正マップ生成部１０２は、ユーザ測定ガンマ特性記憶部１０９ｃからユーザ測定ガンマ特性を読み出す。
階調補正マップ生成部１０２は、入力した輝度補正マップにおける輝度をユーザ測定ガンマ特性記憶部１０９ｃから読み出したユーザ測定ガンマ特性を用いて階調に変換し、階調補正マップを生成する（ステップＳ２９）。
階調補正マップ生成部１０２は、生成した階調補正マップを階調補正マップ記憶部１１０に書き込んで記憶させる（ステップＳ３０）。
【００６７】
映像入力部１０６は、外部装置から映像信号を入力する（ステップＳ３１）。
そして、映像入力部１０６は、入力した映像信号を表示制御部１０７に出力する。
表示制御部１０７は、映像入力部１０６から映像信号を入力すると、階調補正マップ記憶部１１０から階調補正マップを読み出す（ステップＳ３２）。
表示制御部１０７は、階調補正マップ記憶部１１０から読み出した階調補正マップを用いて入力した映像信号の階調を補正する（ステップＳ３３）。
表示制御部１０７は、補正した映像信号を用いて表示部１０８に映像を表示させる（ステップＳ３４）。
【００６８】
以上、本発明の第３の実施形態による表示装置１ｂの処理について説明した。表示装置１ｂは、映像信号を入力する映像入力部１０６と、映像信号を補正する表示制御部１０７と、補正した映像信号に応じた映像を表示する画面を有して画面に対して平行に回転可能である表示部１０８と、を備える。表示装置１ｂは、画面の中の複数の位置と、複数の位置における映像信号の階調の補正値と、の対応関係を示す階調補正マップを生成する階調補正マップ生成装置１０ｂをさらに備える。階調補正マップ生成装置１０ｂは、複数の位置と、表示部１０８の回転角度に応じた輝度の補正値と、の対応関係を示す回転ムラ補正マップを生成する、回転ムラ補正マップ生成部１０１と、複数の位置と、輝度補正量と、の対応関係を示す輝度補正マップを生成する、輝度補正マップ生成部１０４と、階調補正マップを生成する、階調補正マップ生成部１０２と、を備える。回転ムラ補正マップ生成部１０１は、複数の位置と、表示部１０８が所定の角度で設置されている際の無補正時の輝度である無補正時輝度と、の対応関係を示す輝度ムラマップと、複数の位置又は他の複数の位置と、表示部１０８の回転角度に応じた輝度の差分と、の対応関係を示す回転ムラマップと、に基づいて、回転ムラ補正マップを生成する。輝度補正マップ生成部１０４は、回転ムラ補正マップと、指定されるムラレベル値と、に基づいて、輝度補正マップを生成する。階調補正マップ生成部１０２は、輝度補正マップと、第２の時点における画面の特定の位置の輝度と、映像信号の階調と、の対応関係を示す第２のガンマ特性と、に基づいて、階調補正マップを生成する。表示制御部１０７は、階調補正マップを用いて映像信号を補正する。
データ記憶部１０９ｆは、回転ムラマップ記憶部１０９ｂと、ユーザ測定ガンマ特性記憶部１０９ｃと、階調補正基本マップ記憶部１０９ｄと、基本ガンマ特性記憶部１０９ｅとを備える。
上述の表示装置１ｂによれば、輝度ムラマップ生成部１０３は、階調補正基本マップ記憶部１０９ｄに記憶されている階調補正基本マップと、基本ガンマ特性記憶部１０９ｅに記憶されている基本ガンマ特性とに基づいて、階調補正基本マップにおける階調を輝度に変換する。輝度ムラマップ生成部１０３は、階調補正基本マップにおける階調を輝度に変換したデータに基づいて、輝度ムラマップを算出する。回転ムラ補正マップ生成部１０１は、輝度ムラマップに対して回転ムラマップを反映させて回転ムラ補正マップを生成する。輝度補正マップ生成部１０４は、回転ムラマップとムラレベル値とに基づいて輝度補正マップを生成する。輝度補正マップ生成部１０４は回転ムラ補正マップとムラレベル値とに基づいて、目標輝度ムラマップを算出する。また、輝度補正マップ生成部１０４は、回転ムラ補正マップと算出した目標輝度ムラマップとに基づいて、輝度補正マップを生成する。階調補正マップ生成部１０２は、輝度補正マップと、ユーザ測定ガンマ特性とに基づいて、階調補正マップを生成し、階調補正マップ記憶部１１０に書き込んで記憶させることができる。
また、表示制御部１０７が階調補正マップ記憶部１１０に記憶されている階調補正マップに基づいて、映像入力部１０６から入力した映像信号の階調を補正し表示部１０８に映像を表示される。
【００６９】
このようにすることで、第３の実施形態による表示装置１ｂは、工場の出荷検査の第１の時点において表示装置１ｂの表示部１０８の回転角度の変更に対するムラ補正、または工場出荷後においてユーザが表示装置１ｂの表示部１０８の回転角度の変更に対するムラ補正のための補正を行う必要がない。すなわち、本実施形態によれば、表示装置１ｂの表示部１０８を所定の角度で回転させた場合、階調補正マップにより映像信号の表示部１０８の回転に基づく表示ムラが補正されるため、手間のかかる個体ムラ調整を従来と同様に代表的な画面方向のみで行われ、表示装置１の光学調査項目を従来と同等とすることができ、表示ムラを補正する際に従来必要であった、表示画面を測定する専用の光学測定器と、測定する際に表示装置を配置する暗室とを準備しなくとも良いため、表示装置１の光学調査項目を従来と同等とし、第１の時点である工場の製造あるいは出荷検査における表示ムラの調整の工程を簡略化して製造コストを低減させるとともに、第１の時点より後の第２の時点における表示部１０８の表示部１０８の画面全体の表示ムラを一般的なユーザ環境において簡便に補正することができる効果がある。
【００７０】
また、第３の実施形態による表示装置１ｂは、階調補正マップ生成部１０２は、輝度補正マップと、工場出荷後において測定されたユーザ測定ガンマ特性とに基づいて、簡便に階調補正マップを生成し、ユーザ測定ガンマ特性記憶部１０９ｃに記録することができる。
また、表示制御部１０７が階調補正マップ記憶部１１０が記憶する階調補正マップに基づいて、映像入力部１０６から入力した映像信号の階調を補正し表示部１０８に映像を表示する。
このようにすることで、第３の実施形態による表示装置１ｂは、表示部１０８の画面の中の特定の位置におけるユーザ測定ガンマ特性に基づいて階調を補正することにより、表示部１０８の画面全体の表示ムラを簡便に補正することができる。
また、階調補正基本マップ記憶部１０９ｄが階調補正基本マップをＲ、Ｇ、Ｂ毎に記憶し、階調補正マップ生成装置１０がＲ、Ｇ、Ｂのそれぞれの階調補正基本マップに対して階調補正マップを生成する。
このようにすれば、第３の実施形態による表示装置１ａは、表示部１０８の画面全体に均一な表示ムラの無い色を再現する表示性能を実現することができる。
【００７１】
＜第４の実施形態＞
第４の実施形態においては、回転ムラマップが表示部１０８の回転角度（０°、９０°、１８０°、２７０°）毎に対応して、回転ムラマップ記憶部１０９ｂに記憶されている必要はない。すなわち、すでに述べたように、回転ムラについては液晶パネル毎に差がない程度に細密な変化がないため、表示部１０８の表示画面の縦横比が異なっていても、回転ムラマップを１種類記憶させておく構成でも良い。そして、回転ムラ補正マップ生成部１０１は、回転ムラマップが回転角度に対応した縦横比に対応するようにフィッティングさせ、フィッティング後に輝度ムラマップにおける表示部１０８の各位置対応するように反映させる。
【００７２】
ここで、回転ムラマップ記憶部１０９ｂに記憶されている回転ムラマップが横設置に対応している場合、９０°回転させた場合、縦設置の縦横比となるように回転ムラマップの横方向を縮小させ、縦方向を伸長させる。一方、回転ムラマップ記憶部１０９ｂに記憶されている回転ムラマップが縦設置に対応している場合、９０°回転させた場合、横設置の縦横比となるように回転ムラマップの横方向を伸長させ、縦方向を縮小させる。
また、回転ムラ補正マップ生成部１０１は、回転ムラマップをフィッティングさせた後、表示部１０８の画面の中の位置に対応する回転ムラマップのデータが存在しない場合、回転ムラマップのデータを線形補間などで補間したデータを、輝度ムラマップに対して反映させる。
【００７３】
すなわち、回転ムラマップは、表示部１０８の回転可能な回転角度のいずれか一つに対して設ける構成とし、他の回転角度に対しては表示部１０８の表示面に対応するように縦横の比をフィッティングして用いられる。
この構成により、回転角度毎の回転ムラマップを用意する必要がないため、第４の実施形態による表示装置は、回転ムラマップ記憶部１０９ｂの記憶容量を低減することができ、第２の実施形態及び第３の実施形態に比較して、より表示装置の価格を低減することができる。
また、回転角度毎の回転ムラマップを容易する必要がないため、回転ムラマップを作成する手間が省け、開発費を低減させて、表示装置の価格を低減することができる。
【００７４】
＜第５の実施形態＞
第５の実施形態においては、回転ムラマップが表示部１０８の回転角度（０°、９０°、１８０°、２７０°）毎に対応して、回転ムラマップ記憶部１０９ｂに記憶されている必要はない。すなわち、すでに述べたように、回転ムラについては液晶パネル毎に差がない程度に細密な変化がないため、回転ムラマップを回転角度毎に準備しない構成でも良い。
例えば、９０°の回転角度に対応した回転ムラマップの上下を左右を反転させることにより、−９０°（２７０°）の回転角度に対応した回転ムラマップとして用いてもよい。また、０°の回転角度に対応した回転ムラマップの上下を左右を反転させることにより、１８０°の回転角度に対応した回転ムラマップとして用いてもよい。
すなわち、回転ムラマップを回転させることにより、異なる回転角度の回転ムラマップを算出することもできる。
【００７５】
すなわち、回転ムラマップは、表示部１０８の回転可能な回転角度の回転対称な組毎にいずれか一つに対して設ける構成とし、他の回転角度に対しては縦横比が同一となるように回転させて用いられる。
この構成により、回転角度毎の回転ムラマップを用意する必要がないため、第５の実施形態による表示装置は、回転ムラマップ記憶部１０９ｂの記憶容量を低減することができ、第２の実施形態及び第３の実施形態に比較して、より表示装置の価格を低減することができる。
また、回転角度毎の回転ムラマップを容易する必要がないため、回転ムラマップを作成する手間が省け、開発費を低減させて、表示装置の価格を低減することができる。
【００７６】
＜第６の実施形態＞
上述した第２の実施形態から第５の実施形態においては、回転ムラマップを筐体構造で決定される温度分布変化により設計値として求めていたが、基準状態及び所定の回転角度（９０°、１８０°、２７０°など）において実測し、ムラ特性差を算出し、回転ムラマップを生成しても良い。
すなわち、回転ムラマップは、表示装置１ｂの表示部１０８の表示特性の検査時に実測により作成される、
このように、第６の実施形態においては、実測値から生成された回転ムラマップ回転状態による表示ムラも、液晶パネル個々の個体差に基づいた高精度に補正することができる。
【００７７】
なお、本発明における図１、図２及び図９の各々の表示装置１、表示装置１ａ、表示装置１ｂそれぞれの機能を実現するためのプログラムをコンピュータ読み取り可能な記録媒体に記録して、この記録媒体に記録されたプログラムをコンピュータシステムに読み込ませ、実行することにより表示ムラの抑制の処理の制御を行ってもよい。なお、ここでいう「コンピュータシステム」とは、ＯＳや周辺機器等のハードウェアを含むものとする。
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７９】
１，１ａ，１ｂ…表示装置
１０，１０ｂ…階調補正マップ生成装置
１０１…回転ムラ補正マップ生成部
１０２…階調補正マップ生成部
１０３…輝度ムラマップ生成部
１０４…輝度補正マップ生成部
１０６…映像入力部
１０７…表示制御部
１０８…表示部
１０９，１０９ｆ…データ記憶部
１０９ａ…輝度ムラマップ記憶部
１０９ｂ…回転ムラマップ記憶部
１０９ｃ…ユーザ測定ガンマ特性
１０９ｄ…階調補正基本マップ記憶部
１０９ｅ…基本ガンマ特性記憶部
１１０…階調補正マップ記憶部
１１１…ガンマ測定部
【図１】
2016075870.tif 000003
【図２】
2016075870.tif 000004
【図３】
2016075870.tif 000005
【図４】
2016075870.tif 000006
【図７】
2016075870.tif 000007
【図８】
2016075870.tif 000008
【図９】
2016075870.tif 000009
【図１０】
2016075870.tif 000010
【図５】
2016075870.tif 000011
【図６】
2016075870.tif 000012